(57)【要約】      （修正有）【課題】携帯通信端末を強制的に冷却する機能を設けた車両用携帯通信端末保持具を提供する。【解決手段】自動車の内装部に固定するための装着基部１と、装着基部と連結され携帯通信端末の背面と当接する当接部が表面に形成される保持部本体４と、保持部本体の表面に配置され携帯端末の側面を保持可能に構成される一対の保持アーム５１，５２を有し、保持部本体は、内部に送風機構を装備すると共に表面に送風機構によって発生した風が通風する通風口４４が形成する。【選択図】図１
0003186250.tif 000002
【実用新案登録請求の範囲】
【請求項１】
自動車の内装部に固定するための装着基部と、
前記装着基部と直接もしくは間接的に連結され携帯通信端末の背面と当接する当接部が表面に形成される保持部本体と、
前記保持部本体の表面に配置され携帯端末の側面を保持可能に構成される一対の保持アームを有し、
前記一対の保持アームは相互の相対的な距離を調整可能な手段を有し、
前記保持部本体は、内部に送風機構を装備すると共に前記表面に前記送風機構によって発生した風が通風する通風口が形成されることを特徴とする車両用携帯通信端末保持具
【請求項２】
前記保持部本体の通風口が表面の略中央位置に形成され、前記表面の通風口の周囲に、前記携帯通信端末の背面と当接しない形状より構成される通風面が形成されることを特徴とする請求項１記載の車両用携帯通信端末保持具
【請求項３】
前記通風面が前記一対の保持アーム方向に延在し、車両用携帯通信端末保持具への携帯通信端末の保持状態において、携帯通信端末の裏面と前記通風面間に形成された空間を通過する風の通風口が前記保持アームの付根部に形成されることを特徴とする請求項２記載の車両用携帯通信端末保持具
【考案の詳細な説明】
【技術分野】
【０００１】
本考案は、携帯通信端末の高温状態での使用が可能な、送風機能を有する車両用携帯端末保持具に関する。
【背景技術】
【０００２】
従来の携帯通信端末保持具としては、例えば特開２００８−２０２７７１号公報では図  に示すように、携帯電話機の背面に当接する背面部７１と、前記背面部７１の左右両端よりそれぞれ前方へ延設する左右一対のアーム部７２とを有する本体７０と、自動車の室内の被取り付け対象物に取り付けるための取付ベース７４とからなる物品ホルダーであって、前記本体７０は、背面部７１とアーム部７２を転回可能に軸支したリアケース７６を有する物品ホルダーが開示されている。
【０００３】
しかしながら、この従来の携帯通信端末保持具は、特に夏期など、車内が高温になる季節に、携帯通信端末を車両の車内設置し、携帯通信端末でナビ用のアプリケーションを動作させている場合に携帯通信端末自身から発生する熱と、直射日光等によって携帯通信端末の温度が上昇し、携帯通信端末に内蔵された保護回路が作動して強制的に携帯通信端末の機能が停止してしまう問題点があった。
【先行技術文献】
【特許文献】
【０００４】
【特許文献１】特開２００８−２０２７７１号公報
【考案の概要】
【考案が解決しようとする課題】
【０００５】
本考案の解決しようとする課題は、携帯通信端末保持具において、携帯端末を強制的に冷却する機能を設けることを課題とし、特に夏期など、車内が高温になる季節に、携帯通信端末を車両の車内設置し、携帯通信端末でナビ用のアプリケーションを動作させている場合でも、携帯通信端末に内蔵された保護回路が作動して強制的に携帯通信端末の機能が停止してしまうことを防止することを課題とする。
【課題を解決するための手段】
【０００６】
本考案の車両用携帯通信端末保持具は、自動車の内装部に固定するための装着基部と、前記装着基部と直接もしくは間接的に連結され携帯通信端末の背面と当接する当接部が表面に形成される保持部本体と、前記保持部本体の表面に配置され携帯端末の側面を保持可能に構成される一対の保持アームを有し、前記一対の保持アームは相互の相対的な距離を調整可能な手段を有し、前記保持部本体は、内部に送風機構を装備すると共に前記表面に前記送風機構によって発生した風が通風する通風口が形成されることを特徴とする。
【０００７】
更に、前記保持部本体の通風口が表面の略中央位置に形成され、前記表面の通風口の周囲に、前記携帯通信端末の背面と当接しない形状より構成される通風面が形成されることを特徴とする。
【０００８】
更に、前記通風面が前記一対の保持アーム方向に延在し、車両用携帯通信端末保持具への携帯通信端末の保持状態において、携帯通信端末の裏面と前記通風面間に形成された空間を通過する風の通風口が前記保持アームの付根部に形成されることを特徴とする。
【考案の効果】
【０００９】
本考案の車両用携帯通信端末保持具は、特に夏期など、車内が高温になる季節に、携帯通信端末を車両の車内設置し、携帯通信端末でナビ用のアプリケーションを動作させている場合でも、携帯通信端末の裏面部分に空気の強制的な流れを作り、携帯通信端末の温度上昇を軽減することによって、携帯通信端末に内蔵された保護回路が作動して強制的に携帯通信端末の機能が停止してしまうことを防止することができ、更に本考案では、携帯通信端末の動作時に特に高温になる演算部の裏面位置を集中的に冷却するため、冷却効率を向上させることができる。
【図面の簡単な説明】
【００１０】
【図１】本考案の実施例を示す正面側から見た斜視図である。
【図２】本考案の実施例を示す裏面側から見た斜視図である。
【図３】本考案の実施例を示す正面図である。
【図４】本考案の実施例を示す右側面図である。
【図５】本考案の実施例を示す左側面図である。
【図６】本考案の実施例を示す背面図である。
【図７】本考案の実施例を示す平面図である。
【図８】本考案の実施例を示すＡＡ線断面図である。
【図９】本考案の実施例を示すＢＢ線断面図である。
【図１０】本考案の実施例において情報通信端末を保持した状態を示す斜視図である。
【図１１】本考案の実施例において情報通信端末を保持した状態を示す正面図である。
【図１２】本考案の実施例において情報通信端末を保持した状態を示す平面図である。
【図１３】本考案の実施例において情報通信端末を保持した状態を示すＣＣ線断面図である。
【図１４】本考案の実施例において情報通信端末を保持した状態を示すＤＤ線断面図である。
【図１５】従来技術を示す斜視図である。
【図１６】従来技術を示す側面図である。
【考案を実施するための形態】
【実施例１】
【００１１】
本考案の実施例１の車両用携帯通信端末保持具は、自動車の内装部に固定するための装着基部１と、前記装着基部１と下端が連結され上方に延在する腕部２と、前記腕部２と裏面４１で連結され携帯通信端末１００の背面と当接する当接面４３が表面４２に形成される保持部本体４と、前記保持部本体４の表面４２から突出し前記携帯通信端末１００の側面を保持可能に構成される一対の保持アーム５を有し、前記一対の保持アーム５は相互の相対的な距離を調整可能な手段を有し、前記保持部本体４は、内部に送風機構６を装備すると共に前記表面４２に前記送風機構６によって発生した風が通風する通風口４４が形成される。
【００１２】
前記装着基部１は、底部に自動車のダッシュボード等の内装部に固定する吸着部を裏面に有する吸盤１１と、前記吸盤１１の上部の周囲部分を上方から覆うカバー部材１４と、前記吸盤１１の中央部分を引き上げることによって吸盤１１のダッシュボード等への吸着動作が可能な引き上げ機構を有する。尚、前記装着基部１は、吸盤１１を設けず粘着性を有する素材によって前記内装部に貼り付けても良く、またクリップ等を用いてエアコン噴出し口のルーバー部分に固定しても良い。（図示せず）
【００１３】
前記腕部２は下方腕部２１と上方腕部３１より構成され、前記下方腕部２１は下端部が前記吸盤１１の中央部分から上方に延在する軸部１２とネジ１３によって連結され、前記下方腕部２１の上端には左右一対の立片２３が形成され、前記夫々の立片２３には水平方向に孔２４が形成される。
【００１４】
前記カバー部材１４の上方位置において前記下方腕部２１の周囲には前記下方腕部２１の押上部を有するノブ部材１５が連結され、前記ノブ部材１５はカバー部材１４に対して回動可能に構成され、前記ノブ部材１５を回すことによって前記カバー部材１４の押上部１６が前記下部腕部２１の周囲部に形成されたガイド部２２と当接して、前記下方腕部２１を上方向に押し上げ、前記下方腕部２１の上方向の移動に伴って前記吸盤１１の中央部分が上方向に移動するように構成される。
【００１５】
前記上方腕部３１の下方部分には前記下方腕部２１に形成された一対の立片２３間に配置されると共に水平方向の孔３２が形成され、前記立片２３の一方の位置から、前記下方腕部２１の孔２４および前記上方腕部３１の孔３２を貫通するようにボルト２５を挿入し、ノブナット２７の内部に固定したナット２６と螺合するように構成され、前記前記ボルト２５に対してナット２６が緩む方向にノブナット２７を回転させた状態では、前記下方腕部２１に対して上方腕部３１が回動可能となり、前記ボルト２５をナット２６が締まる方向にノブナット回転２７させた状態では、前記下方腕部２１に対して上方腕部３１が固定されるように構成される。
【００１６】
前記上方腕部３１の上方部分には前記保持部本体４の裏面４１との接続部が形成され、前記保持部本体４の裏面４１との接続部は、前記上方腕部３１の下方部分に形成された孔３２と直交する方向に孔３３が形成される。
【００１７】
前記保持部本体４の裏面４１にはボス４５が形成され、前記ボスの周囲に前記上方腕部３１の上方部分に形成された孔３３を配置した状態で、ネジ４６により前記ボス４５に対してネジ止めをすることによって、前記上方腕部３１に対して前記保持部本体４が離脱せず、回動が可能に構成され、更に前記前記上方腕部３１と前記保持部本体４の結合部に、前記前記上方腕部３１に対して前記保持部本体４の段階的な回転角度の制御をするためのバネ機構（図示せず）が配置される。尚、本考案の腕部２の構成は、本実施例に限定される既存の、固定部に対する携帯保持部の支持構造を利用することができる。
【００１８】
前記保持部本体４の表面４２には一対の保持アーム５が突出して配置され、携帯通信端末１００の側面を保持可能に構成され、前記一対の保持アーム５は相互の相対的な距離を調整可能な手段として、前記保持部本体４に固定される一方のアーム５１と、前記保持部本体４において、他方のアーム５２の移動方向に形成されたガイド部４７によって保持され、前記一方のアーム５１との相対的な距離が変更可能な他方のアーム５２よりなり、前記他方のアーム５２はバネ（図示せず）によって前記一方のアーム５１方向に付勢されるように構成される。尚、前記一方のアームにも前記他方のアームと同様の移動機構を用いて、一方のアームと他方のアームの両方が相対的に移動するように構成しても良い。
【００１９】
前記保持部本体４は、内部に送風機構６を装備すると共に携帯通信端末１００の背面との当接面４３を有する表面４２に前記送風機構６によって発生した風が吹き出すための通風口４４が形成され、前記保持部本体４の裏面４１には吸気のための通風口４８が形成される。尚、裏面４１に形成される通風口４８は、前記保持部本体４の側面に設けても良く、更に空気の流れる方向を逆にして、表面４１に形成された前記通風口４４が空気を吸い込むように構成しても良い。
【００２０】
前記保持部本体４の通風口４４は前記表面４２の略中央部に形成され、前記表面４２の通風孔４４の周囲に、前記携帯通信端末１００の背面と当接しない凹部よりなる通風面４９が形成され、前記通風面４９が前記一対の保持アーム５方向に延在し、前記携帯通信端末保持具への携帯通信端末１００の保持状態において、携帯通信端末１００の背面と前記保持部本体４の通風面４９間に形成された空間を通過する風の通風口５３が前記一方のアーム５１および他方のアーム５２の夫々の付根部に形成されることによって、前記通風口５３から吹き出す風によって携帯通信端末１００の背面中央の高温部を効率良く冷却させることができる。
【００２１】
尚、前記保持部本体４の側面に前記送風機構６のON／OFFスイッチ６１を設け、前記ON／OFFスイッチ６１をON側に操作することで前記保持部本体４の内部に配置された送風機構のファンモータを駆動させるように構成されるが、前記保持アーム５に対する携帯通信端末１００の保持動作に連動してスイッチが入るようにしても良く、また温度センサやバイメタルを配置し、前記携帯通信端末１００や携帯通信端末保持具、または気温の少なくとも何れか１つの温度が設定値まで上昇した場合にスイッチが入るようにしても良い。
【産業上の利用可能性】
【００２２】
本考案は、携帯通信端末の高温状態での使用が可能な車両用携帯通信端末保持具として産業上有効に使用することができる。
【符号の説明】
【００２３】
１：装着基部、２：腕部、４：保持部本体、５：保持アーム、６：送風機構、１１：吸盤、１２：軸部、１３：ネジ、１４：カバー部材、１５：ノブ部材、１６：押上部、２１：下方腕部、２２：ガイド部、２３：立片、２４：孔、２５：ボルト、２６：ナット、２７：ノブナット、３１：上方腕部、３２：孔、３３：孔、４１：裏面、４２：表面、４３：当接面、４４：通風口、４５：ボス、４６：ネジ、４７：ガイド部、４８：通風口、４９：通風面、５１：一方のアーム、５２：他方のアーム、５３：通風口、６１：ON／OFFスイッチ、７０：本体、７１：背面部、７２：アーム部、７４：取付ベース、７６：リアケース、１００：携帯通信端末
【図１】
0003186250.tif 000003
【図２】
0003186250.tif 000004
【図３】
0003186250.tif 000005
【図４】
0003186250.tif 000006
【図５】
0003186250.tif 000007
【図６】
0003186250.tif 000008
【図７】
0003186250.tif 000009
【図８】
0003186250.tif 000010
【図９】
0003186250.tif 000011
【図１０】
0003186250.tif 000012
【図１１】
0003186250.tif 000013
【図１２】
0003186250.tif 000014
【図１３】
0003186250.tif 000015
【図１４】
0003186250.tif 000016
【図１５】
0003186250.tif 000017
【図１６】
0003186250.tif 000018